(57)【要約】【課題】  解決しようとする課題は、縦筋に対しある一方側にだけに横筋を配置する従来工法に対し、簡易的な方法でありながら、鉄筋構造自体及び躯体の強度、耐震性、耐久性を向上できる鉄筋構造を提供することにある。【解決手段】本発明は、縦筋に対し横方向の鉄筋を交互に配置し、縦筋１と横筋２を網目状にすることで、鉄筋の骨組み自体の強度を向上し、コンクリートとの密着性、耐震性、耐久性に優れた鉄筋構造であることを特徴とし、更に、横筋配置の際に補助具６を用いることで作業の効率を大幅に向上することができる鉄筋構造の施工方法と、前記補助具６には、縦筋の位置に凹み部７を設けることを特徴としている。【選択図】図１
2019044506.tif 000002
【特許請求の範囲】
【請求項１】
鉄筋コンクリート構造物において、縦筋に対し横筋を交互に配置し、縦筋と横筋を網目状にすることを特徴とする鉄筋構造。
【請求項２】
鉄筋コンクリート構造物において、縦筋に対し横筋を交互に配置し、縦筋と横筋を網目状にする鉄筋構造において、横筋配置の際に補助具を用いることを特徴とする鉄筋構造の施工方法。
【請求項３】
前記補助具には、縦筋の位置に凹み部を設けたことを特徴とする請求項２に記載の鉄筋構造の施工方法。
【発明の詳細な説明】
【技術分野】
【０００１】
本発明は、鉄筋コンクリートを築造する際の、鉄筋構造に関する。
【背景技術】
【０００２】
一般的な鉄筋コンクリートを築造する際の鉄筋の組立方法は、 縦筋を配筋した後に横筋を縦筋のある一方側に、設計された間隔で組付けている。 しかし、横筋を 一方側だけに配筋することにより躯体の荷重に対し均等性が損なわれる。これにより、地震等のストレスが加わった場合、倒壊し易くなる課題がある。 また、コンクリートが鉄筋に絡まずに剥離を誘引する密着性にも課題がある。
この改善策として、剥離を軽減するための塗料を壁面に塗装を施しているが躯体そのものの強度、耐震性、耐久性を向上するには至っていない実情にある。
【０００３】
例えば、特開２００２−３９８３５号公報には、鉄筋施工効率を向上するため、隣接する先端が交互に出し入れされ、所定ピッチで互いに平行に配置された複数の長さ方向鉄筋１０と、長さ方向鉄筋の中央線から両方向にそれぞれ３００ｍｍ〜５００ｍｍの個所に、長さ方向鉄筋に対して直交方向に延びた横断方向鉄筋１２とを有する第１ユニットと、隣接する先端が交互に出し入れされ、所定ピッチで互いに平行に配置された複数の長さ方向鉄筋１４と、長さ方向鉄筋の中央の個所に、長さ方向鉄筋に対して直交方向に延びた横断方向鉄筋１６とを有する第２ユニットと、隣接する先端が交互に出し入れされ、所定ピッチで互いに平行に配置された複数の長さ方向鉄筋１８と、長さ方向鉄筋の中央の個所に、長さ方向鉄筋に対して直交方向に延びた横断方向鉄筋２０とを有する第３ユニットとを備えた鉄筋先組ユニットに関する技術が開示されているが、本発明とは基本的に構造が異なり、特に強度面に於いて課題がある。
【先行技術文献】
【特許文献】
【０００４】
【特許文献１】特開２００４-１００４０２号  （明細書０００５、図１）
【発明の概要】
【発明が解決しようとする課題】
【０００５】
解決しようとする課題は、縦筋に対しある一方側にだけに横筋を配置する従来工法に対し、簡易的な方法でありながら、鉄筋構造自体及び躯体の強度、耐震性、耐久性を向上できる鉄筋構造を提供することにある。
【課題を解決するための手段】
【０００６】
本発明は、鉄筋コンクリート構造物において、縦筋に対し横筋を交互に配置し、縦筋と横筋を網目状にすることで、鉄筋の骨組み自体の強度を向上し、コンクリートとの密着性、耐震性、耐久性に優れた鉄筋構造であることを特徴とする。
【０００７】
更に、横筋配置の際に補助具を用いることで作業の効率を大幅に向上することができる鉄筋構造の施工方法と、前記補助具には、縦筋の位置に凹み部を設けることを特徴としている。
【発明の効果】
【０００８】
縦筋と横筋を網目状にすることで、コンクリートの骨組み自体の強度を向上し、鉄筋にコンクリートが効果的に絡み、生コンクリートとの密着性、剥離性、耐震性、耐久性に優れた鉄筋構造とすることができる。
【０００９】
横筋組立の際に補助具を用いることで、横筋の配置が容易となり作業性が向上する。更に前記補助具には、縦筋の位置に凹み部を設けることで、縦筋との間隔を均一化でき更に作業性の向上と仕上がりもよくなる。
【図面の簡単な説明】
【００１０】
【図１】本発明の概要を示す斜視図
【図２】横筋の配置例を示す平面図
【図３】横筋の配置例を示す側面図
【図４】横筋の施工手順を示す図
【図５】補助具の斜視図
【発明を実施するための形態】
【実施例１】
【００１１】
図１は、本発明の概要を示す一例の斜視図である。ベースコンクリートとなる土台４に設置した縦筋１に対し、横筋２を編むように交互に配置している。縦筋１に対し交互に配置する横筋２は、その隣り合う上下の横筋２とも交互に配置する。例えば、１本目の横筋が最初の縦筋の右側から配置した場合、２本目の横筋は縦筋の左側から配置するようにする。
【００１２】
縦筋１と横筋２の交差部は、結束線などで固定する。図１において結束部３が結束線などでの固定部となる。
【実施例２】
【００１３】
図２は、横筋の配置例を示す平面図で、図３は横筋の配置例を示す側面図である。図２Ａは、横筋２を一直線に配置したもので、縦筋１を横筋２の太さ分離して交互に配置している。図２Ｂは、縦筋１を同一線上に配置し、横筋２を曲げて縦筋１を交互に配置したものである。図２Ｃは、縦筋１を横筋２の略半分の太さ分離して交互に配置し、横筋２を曲げて縦筋１を交互に配置したものであるが、横筋２の曲げ量を図２Ｂの例よりも略半分としたものである。
【実施例３】
【００１４】
図４に示すように、横筋２を縦筋１へ配置する際に、横筋２を配置し易くするために、補助具６を用いるとよい。土台４に縦筋１が配置されている段階で、横筋１の最下部の配置位置より上部側に、補助具６を水平に且つ縦筋１に対し交互に差し込んでおくことで、横筋２を配置する空間が縦筋１に生じる。次に１本目の横筋２を側方から差込み、縦筋との交差部を結束する。
【００１５】
２本目の横筋２を差込む前に、補助具６を上方へ移動させ横筋２を配置する空間を設けて、２本目の横筋２を差込み、縦筋との交差部を結束する。この作業を所定の高さ位置まで繰り返すことで、鉄筋組立作業を完成させる。
【００１６】
図５に示すように、補助具６には、縦筋１の間隔に合せた凹み部７を設けるとよい。凹み部７は補助具６に交互に設けることで、縦筋１の間隔を確保し補助具６も縦筋１の間に保持されるため、鉄筋組立作業の効率につながる。
【００１７】
前記補助具６を用いることで、縦筋１は差込む横筋２の空間が保持され、作業性の向上と設計値を確保し品質向上が図られる。
【００１８】
補助具５の形状、長さ、太さ、凹み部の形状及び深さは図５に示す形状に限られず、現場設計や実情に合せ適宜選択することができる。
【産業上の利用可能性】
【００１９】
本発明の鉄筋構造は、建築物の施工に利用でき、補助具は工業生産が可能である。
【符号の説明】
【００２０】
１  縦筋
２  横筋
３  結束部
４  土台
５  横筋位置
６  補助具
７  凹部
【図１】
2019044506.tif 000003
【図２】
2019044506.tif 000004
【図３】
2019044506.tif 000005
【図４】
2019044506.tif 000006
【図５】
2019044506.tif 000007
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
鉄筋コンクリート構造物において、縦筋に対し横筋を交互に配置し、縦筋と横筋を網目状にする鉄筋構造において、横筋配置の際に補助具を用いることを特徴とする鉄筋構造の施工方法。
【請求項２】
前記補助具には、縦筋の位置に凹み部を設けたことを特徴とする請求項２に記載の鉄筋構造の施工方法。
【手続補正２】
【補正対象書類名】図面
【補正対象項目名】図４
【補正方法】変更
【補正の内容】
【図４】
2019044506.tif 000008
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
鉄筋コンクリート構造物において、縦筋に対し横筋を交互に配置し、縱筋と横筋を綱目状にする鉄筋構造において、横筋配置の際に補助具を用いる鉄筋構造の施工方法であって、
前記補助具は、棒状で、縦筋の位置に凹み部が設けられており、前記凹み部に縦筋が保持されるように、前記補助具を、水平に且つ縦筋に対して交互に差し込んで、積筋を配置するための空間を確保する工程と、前記空間に横筋を配置する工程と、
前記補助具を、垂直方向へ移動させ、次の積筋を配置するための空間を確保する工程と、を有することを特徴とする鉄筋構造の施工方法。
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
鉄筋コンクリート構造物において、縦筋に対し横筋を交互に配置し、縱筋と横筋を綱目状にする鉄筋構造において、横筋配置の際に補助具を用いる鉄筋構造の施工方法であって、
前記補助具は、棒状で、縦筋の位置に凹み部が設けられており、前記凹み部に縦筋が保持されるように、前記補助具を、水平に且つ縦筋に対して交互に差し込んで、横筋を配置するための空間を確保する工程と、前記空間に横筋を配置する工程と、
前記補助具を、垂直方向へ移動させ、次の積筋を配置するための空間を確保する工程と、を有することを特徴とする鉄筋構造の施工方法。